(57)【要約】【課題】  移動機をデータ通信モードで使用する際の実際の保持態様に適合する移動機評価用ハンドファントムを提供する。【解決手段】  移動機評価用のハンドファントムは、親指部、人差指部、中指部、薬指部、及び小指部を有し、前記親指部は、前記移動機を保持したとき前記移動機の幅方向に沿って親指が向く方向を＋Ｘ方向、前記移動機本体の長手軸に沿って前記移動機の下端部の方向を＋Ｙ方向し、前記移動機のポインティングデバイスアレイの中心を原点とするＸＹ座標系において、（Ｘ，Ｙ）＝（−１ｍｍ，７mm）を中心に、Ｘ方向に±６．２ｍｍ、Ｙ方向に±１２．１ｍｍの範囲に配置される。【選択図】  図３
2009047474.tif 000002
【特許請求の範囲】
【請求項１】
移動機評価用のハンドファントムであって、
前記ハンドファントムは、親指部、人差指部、中指部、薬指部、及び小指部を有し、
前記親指部は、前記移動機を保持したとき前記移動機の幅方向に沿って親指が向く方向を＋Ｘ方向、前記移動機本体の長手軸に沿って前記移動機の下端部の方向を＋Ｙ方向し、前記移動機のポインティングデバイスアレイの中心を原点とするＸＹ座標系において、（Ｘ，Ｙ）＝（−１ｍｍ，７mm）を中心に、Ｘ方向に±６．２ｍｍ、Ｙ方向に±１２．１ｍｍの範囲に配置されることを特徴とするハンドファントム。
【請求項２】
前記人差指部の位置は、前記ＸＹ座標系において、（Ｘ，Ｙ）＝（５ｍｍ，−１５mm）を中心に、Ｘ方向に±１４．０ｍｍ、Ｙ方向に±１５．７ｍｍの範囲に配置されることを特徴とする請求項１に記載のハンドファントム。
【請求項３】
前記小指部は、前記移動機の背面からの厚さ方向をＺ方向とし、前記背面における前記ポインティングデバイスアレイの中心を原点とするＺＹ座標系において、（Ｚ，Ｙ）＝（８ｍｍ，５８ｍｍ）を中心に、Ｚ方向に±５．６ｍｍ、Ｙ方向に±８．６ｍｍの範囲に配置されることを特徴とする請求項１又２に記載のハンドファントム。
【請求項４】
移動機評価用のハンドファントムであって、
前記ハンドファントムは、親指部、人差指部、中指部、薬指部、及び小指部を有し、
前記小指部は、前記移動機を測定するときに、当該小指部の腹部が前記移動機の側面に接触しない位置に配置され、
前記親指部は、前記移動機を保持したとき前記移動機の幅方向に沿って親指が向く方向を＋Ｘ方向、前記移動機本体の長手軸に沿って前記移動機の下端部の方向を＋Ｙ方向し、前記移動機のポインティングデバイスアレイの中心を原点とするＸＹ座標系において、（Ｘ，Ｙ）＝（２ｍｍ，８mm）を中心に、Ｘ方向に±６．３ｍｍ、Ｙ方向に±１３．０ｍｍの範囲に配置されることを特徴とするハンドファントム。
【請求項５】
前記人差指部の位置は、前記ＸＹ座標系において、（Ｘ，Ｙ）＝（１４ｍｍ，−３mm）を中心に、Ｘ方向に±１５．０ｍｍ、Ｙ方向に±２０．９ｍｍの範囲に配置されることを特徴とする請求項４に記載のハンドファントム。
【請求項６】
移動機評価用のハンドファントムであって、
前記ハンドファントムは、親指部、人差指部、中指部、薬指部、及び小指部を有し、
前記親指部は、前記移動機を保持したとき前記移動機の幅方向に沿って親指が向く方向を＋Ｘ方向、前記移動機本体の長手軸に沿って前記移動機の下端部の方向を＋Ｙ方向し、前記移動機のポインティングデバイスアレイの中心を原点とするＸＹ座標系において、（Ｘ，Ｙ）＝（０ｍｍ，８mm）を中心に、Ｘ方向に±６．３ｍｍ、Ｙ方向に±１２．６ｍｍの範囲に配置されることを特徴とするハンドファントム。
【請求項７】
前記人差指部の位置は、前記ＸＹ座標系において、（Ｘ，Ｙ）＝（９ｍｍ，−９mm）を中心に、Ｘ方向に±１４．５ｍｍ、Ｙ方向に±１９．０ｍｍの範囲に配置されることを特徴とする請求項６に記載のハンドファントム。
【請求項８】
前記小指部は、前記移動機の背面からの厚さ方向をＺ方向とし、前記背面における前記ポインティングデバイスアレイの中心を原点とするＺＹ座標系において、（Ｚ，Ｙ）＝（８ｍｍ，６６ｍｍ）を中心に、Ｚ方向に±５．６ｍｍ、Ｙ方向に±８．６ｍｍの範囲に配置されることを特徴とする請求項６又７に記載のハンドファントム。
【請求項９】
移動機を保持する第１の保持パターンでの親指の位置に関する統計データを処理して、前記移動機上のポインティングデバイスアレイの中心に対する親指の第１平均位置と、第１標準偏差を求め、
前記移動機を保持する第２の保持パターンでの親指位置に関する統計データを処理して、前記ポインティングデバイスアレイの中心に対する親指の第２平均位置と、第２標準偏差を求め、
前記第１平均位置と第２平均位置の少なくとも一方と、これに対応する前記第１標準偏差及び／又は第２標準偏差とを用いて親指の配置位置を決定して、前記移動機の評価用のハンドファントムを作製する
工程を含むことを特徴とするハンドファントム作製方法。
【請求項１０】
前記第１の保持パターンは、小指の腹を前記移動機に添える保持態様であり、前記第２の保持パターンは、前記小指の腹を前記移動機に添えない保持態様である
ことを特徴とする請求項９に記載のハンドファントム作製方法。
【発明の詳細な説明】
【技術分野】
【０００１】
本発明は、移動機の評価用の擬似人体（ファントム）に関し、特に、データ通信モードでの移動機の無線特性やアンテナ性能等の評価に用いる手の擬似人体（ハンドファントム）の構成に関する。
【背景技術】
【０００２】
移動機のアンテナ性能を評価する際に、実際の移動機の使用状態に近い形で評価を行うために、擬似人体（ファントム）を用いた測定が行われている。携帯電話などの移動機は人体に近接して使用されるため、アンテナ性能が人体によって大きな影響を受ける場合が多い。そのため、人体からの影響を考慮した上でアンテナの特性を高精度に測定することが重要になってくる。
【０００３】
これまでは、移動機が通話状態にある場合を一般に想定して、人体頭部による電波の遮蔽・反射や、吸収等の影響を考慮したＳＡＭ（Specific Anthropomorphic Mannequin head phantom）と呼ばれる人体頭部モデルが検討、開発されてきた。ＳＡＭファントムは、ＩＥＣ（国際電気標準会議）において標準化がなされている。
【０００４】
移動機のアンテナ性能に与える影響としては、手の影響が大きいことから、手の擬似人体（ハンドファントム）についての検討も始められているが、その形状は、通話状態を前提に作られている場合がほとんどである。
【０００５】
しかし、携帯電話の機能の拡大にともなって、音声通話だけではなく、データモードでの使用形態がより一般的になってきている。たとえば、携帯電話でのＷｅｂブラウジングや電子メールの送受信（データ通信モード）が、音声通話と同等に、或いはそれ以上に頻繁に行われるようになってきている。そのため、データ通信モードで移動機（無線通信端末）を使用する状態を模擬して評価することの重要性が高まっている。
【０００６】
このような要請から、胴体、頭部、腕部、手部を備えた擬似人体装置において、胴部の前方でＰＤＡ等の無線通信装置を保持し、その画面をのぞき見る姿勢での擬似人体装置が提案されている（たとえば、特許文献１参照）。データ通信モードで無線通信装置を保持する場合は、携帯電話を耳に押し当てる通話モードでの使用と比較して、無線通信装置のアンテナと人体との距離が大きくなることから、データ通信時に特有の姿勢の擬似人体が提供されている。擬似人体装置は、頭部を垂直方向からやや前方に傾け、胴部の前方で無線通信装置を保持する腕部及び手部を有する。頭部は、無線通信装置の位置に対して縦方向に回動可能であり、また、水平面に対する無線通信装置の傾斜角が変わるように、手部が腕部の周りで回動可能になるように構成されている。
【０００７】
この文献は、データモードで通信する際の姿勢に着目したものであり、無線通信装置に対する頭部及び手部の位置、角度を調整するが、無線通信装置の持ち方として、具体的な指の位置については開示されていない。
【特許文献１】特開２００４−２８６７３５号公報
【発明の開示】
【発明が解決しようとする課題】
【０００８】
現在、内蔵タイプのアンテナが主流となっており、移動機本体の操作キー（ポインティングデバイスアレイ）が配置される筐体にアンテナが実装されることが多い。したがって、データ通信モードで移動機を保持する場合、指の位置によってアンテナ性能に与える影響が大きく左右されることになる。
【０００９】
そこで、本発明は、データ通信モードで実際に携帯電話を手で持つ際に、実際の使用時の指の保持位置を正しく反映し、移動機のアンテナ特性（無線性能）を正確に測定することのできるハンドファントムを提供することを課題とする。
【課題を解決するための手段】
【００１０】
発明者は、データ通信モードで移動機を使用する際に、利用態様に応じて大きく２通りの保持パターンがあることを見出し、各々または双方の保持パターンに適したハンドファントムを用意することによって、移動機のアンテナ特性（無線特性）をより正確に測定、評価できることに想到した。ひとつは、ＷＥＢブラウジングに代表される態様での保持パターンであり、もうひとつは、電子メールに代表される態様での保持パターンである。保持パターンによって、各指の配置が異なるので、移動機のアンテナに与える反射、吸収の影響も異なる。そこで、それぞれ又は双方の保持パターンに適した形状のハンドファントムを提供する。
【００１１】
第１の側面では、ＷＥＢブラウジングに代表される第１の保持パターンを反映する移動機評価用ハンドファントムを提供する。このハンドファントムは、親指部、人差指部、中指部、薬指部、及び小指部を有し、
前記親指部は、前記移動機を保持したとき前記移動機の幅方向に沿って親指が向く方向を＋Ｘ方向、前記移動機本体の長手軸に沿って前記移動機の下端部の方向を＋Ｙ方向し、前記移動機のポインティングデバイスアレイの中心を原点とするＸＹ座標系において、（Ｘ，Ｙ）＝（−１ｍｍ，７mm）を中心に、Ｘ方向に±６．２ｍｍ、Ｙ方向に±１２．１ｍｍの範囲に配置されることを特徴とする。
【００１２】
第２の側面では、電子メールの作成に代表される第２の保持パターンを反映する移動機の測定評価用ハンドファントムを提供する。このハンドファントムは、親指部、人差指部、中指部、薬指部、及び小指部を有し、
前記小指部は、前記移動機を測定するときに、当該小指部の腹部が前記移動機の側面に接触しない位置に配置され、
前記親指部は、前記移動機を保持したとき前記移動機の幅方向に沿って親指が向く方向を＋Ｘ方向、前記移動機本体の長手軸に沿って前記移動機の下端部の方向を＋Ｙ方向し、前記移動機のポインティングデバイスアレイの中心を原点とするＸＹ座標系において、（Ｘ，Ｙ）＝（２ｍｍ，８mm）を中心に、Ｘ方向に±６．３ｍｍ、Ｙ方向に±１３．０ｍｍの範囲に配置されることを特徴とする。
【００１３】
第３の側面では、上記の第１の保持パターンと第２の保持パターンの双方に対応できるハンドファントムを提供する。このハンドファントムは、親指部、人差指部、中指部、薬指部、及び小指部を有し、
前記親指部は、前記移動機を保持したとき前記移動機の幅方向に沿って親指が向く方向を＋Ｘ方向、前記移動機本体の長手軸に沿って前記移動機の下端部の方向を＋Ｙ方向し、前記移動機のポインティングデバイスアレイの中心を原点とするＸＹ座標系において、（Ｘ，Ｙ）＝（０ｍｍ，８mm）を中心に、Ｘ方向に±６．３ｍｍ、Ｙ方向に±１２．６ｍｍの範囲に配置されることを特徴とする。
【００１４】
第４の側面では、移動機の特性評価用のハンドファントムの作製方法を提供する。この方法では、
（ａ）移動機を保持する第１の保持パターンでの親指の位置に関する統計データを処理して、前記移動機上のポインティングデバイスアレイの中心に対する親指の第１平均位置と第１標準偏差を求め、
（ｂ）前記移動機を保持する第２の保持パターンでの親指位置に関する統計データを処理して、前記ポインティングデバイスアレイの中心に対する親指の第２平均位置と第２標準偏差を求め、
（ｃ）前記第１平均位置と第２平均位置の少なくとも一方と、これに対応する前記第１標準偏差及び／又は第２標準偏差とを用いて親指の配置位置を決定して、前記移動機の評価用のハンドファントムを作製する。
【発明の効果】
【００１５】
様々なタイプの移動機において、WEBブラウジングや電子メールなどのデータ通信を行う際の実際の使用状態に即した測定が可能になり、アンテナ特性をより正確に評価することができる。
【発明を実施するための最良の形態】
【００１６】
以下で、本発明の良好な実施形態について、図面を参照して説明する。
【００１７】
発明者は、移動機を保持してデータ通信を行う際の具体的な指位置を把握するために、データ通信可能な様々なタイプの移動機（クラムシェルタイプ、スライドタイプ、ストレートタイプを含む）について、無差別に抽出した１８歳以上の男女１５０人から、移動機を保持する手の指位置に関する統計データを取得した。統計データにおける各指の位置は、一般的に移動機本体の中央部に配置される決定キー（あるいはマルチファンクションキー、スクロールキー等）、又は複数のファンクションキーを含むポインティングデバイスアレイの中心に対する相対的な位置関係で規定した。その結果、データ通信モードでの指位置は、移動機の種類には大きく左右されず、大別して２通りに再現可能であることが分かった。
【００１８】
図１及び図２は、データ通信モードで移動機を使用するときの２通りのパターンである保持パターン１と保持パターン２をそれぞれ示す図である。図１の保持パターン１は、小指の腹の部分を移動機５０の本体５０ｂに添えて保持する態様である。この持ち方は、主として画面の切り換えや、スクロールするときに多く見られるパターンであり、データ入力を予定していないのが通常である。一方、図２の保持パターン２は、小指の腹を移動機５０の本体５０ｂに添えないで保持する態様であり、電子メールや特定のサイトへのパスワードの入力など、データ入力が予定されるときの保持パターンである。
【００１９】
保持パターン１と保持パターン２とでは、各指の位置やその誤差範囲が異なり、移動機５０に内蔵されるアンテナの特性に与える影響も異なる。なお、図１及び図２では、右手で移動機５０を保持する例を示しているが、移動機を右手で持つか左手で持つかの違いは、指の位置が左右対称になることを除けば大きな差異は生じない。
【００２０】
図３及び図５は、保持パターン１及び保持パターン２で統計データを処理して得た各指の位置と誤差範囲（標準偏差）σを示す図である。移動機５０の本体５０ｂの幅方向（横方向）において、持ち手の親指の先端が向く方向を＋Ｘ方向、移動機本体の長手方向（縦方向）の下向き方向を＋Ｙ方向とする。図３及び図５では、右手持ちを前提としているので、図面に向かって左の方向が＋Ｘの方向となる。人差し指の位置については、移動機本体５０ｂの背面（Ｂａｃｋ）を上側に向けて、ＸＹ座標面上にフロント面と同じ向きで配置したときの座標値で表わしているので、前面５４を上に向けて移動機５０を保持した状態では、人差指のＸ座標値の符号（＋と−）が逆になる。また、移動機本体５０ｂの背面５１からの厚さ方向を＋Ｚ方向とする。
【００２１】
図３（ａ）は、保持パターン１での親指、人差指、中指、薬指、及び小指の各座標位置と、σの範囲を数値で示す表である。図３（ｂ）は、移動機５０の本体５０ｂ上に置かれる各指の位置を丸印で示し、その周りを囲む四角の領域で誤差σの範囲を示す図である。指の位置は、ポインティングデバイスアレイ５２の中心に位置する決定キー５３に対する各指の腹の位置、より具体的には、指の第一関節までの中心、若しくは爪の中心に対応する指の腹側の位置までの距離で表わされている。ポインティングデバイスアレイ５２及び／又はアレイ中の各キーの形状が円形、楕円形、四角形、十字型、菱形等、機種によって異なる場合でも、ポインティングデバイスアレイ５２の中心を座標の原点としている。なお、一般的な移動機（携帯電話）のポインティングデバイスアレイ５２としては、直径５ｍｍ〜１０ｍｍ程度の決定キー５３を真ん中に配置し、その周囲２０mm〜３０mmの範囲に複数のファンクションキーが配置されている。
【００２２】
アンテナ特性に対する手の影響を考えるとき、重要な要素の１つが、親指の位置である。親指の位置が決まると、残りの4本の指のおおよその位置が決まるからである。もっとも、内蔵アンテナ（不図示）に対しては、移動機５０の本体５０ｂの前面５４のみならず、背面５１や側面５５からも反射、吸収の影響があるので、残りの4本の指の具体的な位置関係も重要である。特に、移動機背面（Ｂａｃｋ）５１の人差指の位置は、移動機前面（Ｆｒｏｎｔ）５４に置かれた親指の位置とともに、おおよその手の形状を決めるファクタとなる。
【００２３】
図３（ａ）の保持パターン１では、決定キー５３の中心を座標系の原点としたとき、親指の腹の位置（第一関節までの中心位置、以下、単に「指の位置」と称する）までの位置は、ＸＹ平面内で（Ｘ，Ｙ）＝（−１ｍｍ，７ｍｍ）、又は、この座標位置を中心にＸ方向に±６．２ｍｍ、Ｙ方向に±１２．１ｍｍの範囲（σ）にある。
【００２４】
人差指の位置は、移動機５０を裏返した（背面５１を上にした）状態での座標系で、（Ｘ，Ｙ）＝（−５ｍｍ，−１５ｍｍ）、又は、この座標位置を中心にＸ方向に±１４．０ｍｍ、Ｙ方向に±１５．７ｍｍの範囲（σ）にある。移動機５０の前面５４を上に向けた状態の座標系では、人差指の位置は（Ｘ，Ｙ）＝（５ｍｍ，−１５ｍｍ）となる。
【００２５】
中指の位置は、移動機本体５０ｂの側面５５で、移動機本体５０ｂの背面５１をＺ＝０ｍｍとし、決定キー５３のＹ方向位置をＹ＝０ｍｍとしたとき、ＺＹ平面内で（Ｚ，Ｙ）＝（４ｍｍ，１８ｍｍ）、又は、この座標位置を中心にＺ方向に±３．５ｍｍ、Ｙ方向に±１３．７ｍｍの範囲（σ）にある。
【００２６】
薬指の位置は、ＺＹ平面内で（Ｚ，Ｙ）＝（８ｍｍ，４０ｍｍ）、又は、この座標位置を中心にＺ方向に±４．３ｍｍ、Ｙ方向に±１０．９ｍｍの範囲（σ）にある。
【００２７】
小指の位置は、ＺＹ平面内で（Ｚ，Ｙ）＝（８ｍｍ，５８ｍｍ）、又は、この座標位置を中心にＺ方向に±５．６ｍｍ、Ｙ方向に±８．６ｍｍの範囲（σ）にある。
【００２８】
このように、移動機５０に小指の腹を添える保持パターン１では、人差指の腹の位置は、移動機本体５０ｂのＸ方向（幅方向）の中心に比較的近い位置にあり、小指の腹が、移動機側面５５の下端付近に位置する。
【００２９】
上記の誤差σの範囲は、指位置からの絶対値で表す他に、移動機５０のポインティングデバイスアレイ５２の大きさに対する割合（たとえば、ポインティングデバイスアレイ５２のサイズの６０％等）で表示することも可能である。
【００３０】
図４は、図３の統計データに基づいて作製したハンドファントム１０の概略図である。ハンドファントム１０は、親指１１、人差指１２、中指１３、薬指１４、及び小指１５を有し、任意の移動機５０を保持可能な形状を有する。各指１１〜１５は、測定対象となる移動機本体５０ｂのポインティングデバイスアレイ（図３参照）の中心に対する位置関係が、図３の関係を満たすように配置されている。すなわち、図３（ａ）の座標位置を中心とするσの範囲内に各指が配置されている。ハンドファントム１０は、好ましくは可撓性又は弾性を有する人体等価材料で形成され、各指１１〜１５が図３の座標位置に配置されるとともに、σの範囲で可動に構成されてもよい。
【００３１】
図５（ａ）は、保持パターン２での親指、人差指、中指、及び薬指の各座標位置と、σの範囲を数値で示す表である。図５（ｂ）は、移動機５０の本体５０ｂ上に置かれる各指の位置を丸印で示し、その周りを囲む四角の領域で誤差σの範囲を示す図である。図３と同様に、指の位置は、ポインティングデバイスアレイ５２の中心に位置する決定キー５３に対する各指の腹の位置、より具体的には、指の第一関節までの中心、若しくは爪の中心に対応する指の腹側の位置までの距離で表わされている。
【００３２】
図５（ａ）の保持パターン２では、決定キー５３の中心を座標系の原点としたとき、親指の腹の位置までの位置は、ＸＹ平面内で（Ｘ，Ｙ）＝（２ｍｍ，８ｍｍ）、又は、この座標位置を中心にＸ方向に±６．３ｍｍ、Ｙ方向に±１３．０ｍｍの範囲（σ）にある。
【００３３】
人差指の位置は、移動機５０を裏返して背面５１を上にした状態での座標系で、（Ｘ，Ｙ）＝（−１４ｍｍ，−３ｍｍ）、又は、この座標位置を中心にＸ方向に±１５．０ｍｍ、Ｙ方向に±２０．９ｍｍの範囲（σ）にある。移動機の前面５４を上に向けた状態での座標系では、人差指の位置は、（Ｘ，Ｙ）＝（１４ｍｍ，−３ｍｍ）となる。
【００３４】
中指の位置は、移動機本体５０ｂの側面５５で、移動機本体５０ｂの背面５１をＺ＝０ｍｍとし、決定キー５３のＹ方向位置をＹ＝０ｍｍとしたとき、ＺＹ平面内で（Ｚ，Ｙ）＝（６ｍｍ，２９ｍｍ）、又は、この座標位置を中心にＺ方向に±８．９ｍｍ、Ｙ方向に±２０．６ｍｍの範囲（σ）にある。
【００３５】
薬指の位置は、ＺＹ平面内で（Ｚ，Ｙ）＝（８ｍｍ，５６ｍｍ）、又は、この座標位置を中心にＺ方向に±５．６ｍｍ、Ｙ方向に±１０．９ｍｍの範囲（σ）にある。
【００３６】
このように、移動機５０に小指の腹を添えない保持パターン２では、人差指の腹の位置は、図５（ｂ）の座標軸で−Ｘ方向（実際の使用状態では＋Ｘ方向）に１０ｍｍ程度シフトする。また、図３と同様に、上記の各指の誤差σの範囲は、指位置からの絶対値で表す他に、移動機５０のポインティングデバイスアレイ５２の大きさに対する割合で表わすこともできる。
【００３７】
図６は、図５の統計データに基づいて作製したハンドファントム２０の概略図である。ハンドファントム２０は、親指２１、人差指２２、中指２３、薬指２４、及び小指２５を有し、任意の移動機５０を保持可能な形状を有するが、小指２５の腹が移動機５０の側面に触れないように構成されている。各指２１〜２４は、測定対象となる移動機本体５０ｂのポインティングデバイスアレイ（図５参照）の中心に対する位置関係が、図５の関係を満たすように、各座標位置を中心とするσの範囲内に位置するように配置されている。ハンドファントム２０は、好ましくは可撓性又は弾性を有する人体等価材料で形成され、各指２１〜２４が図５のσの範囲で可動に構成されてもよい。
【００３８】
このように、同じデータ通信モードで移動機５０を使用する場合でも、ＷＥＢブラウジングのように画面切り換えやスクロールを主動作とする場合（保持パターン１）と、電子メールなどのように、データ入力を手動作とする場合（保持パターン２）とで異なる形状のハンドファントム１０及び２０を用意することで、移動機のアンテナ性能（無線特性）をより正確に評価することができる。
【００３９】
図７は、図３の統計結果と図５の統計結果を融合したものである。図７の統計結果に基づいて作製されるハンドファントム（不図示）は、図４及び図６のように２通りのハンドファントムを用意する代わりに、保持パターン１と保持パターン２を平均化して、いずれの保持態様にも対応できるようにするものである。この統計データを用いると、測定評価用のハンドファントムの個数および評価工数を減らすことができる。
【００４０】
図７（ａ）は、平均化した人差指、中指、薬指、及び小指の各座標位置と、σの範囲を数値で示す表である。図７（ｂ）は、移動機５０の本体５０ｂ上に置かれる各指の位置を丸印で示し、その周りを囲む四角の領域で誤差σの範囲を示す図である。図３及び５と同様に、指の位置は、ポインティングデバイスアレイ５２の中心の決定キー５３に対する各指の腹の位置、より具体的には、指の第一関節までの中心、若しくは爪の中心に対応する指の腹側の位置までの距離で表わされている。
【００４１】
図７（ａ）において、決定キー５３の中心を座標系の原点としたとき、親指の腹の位置（第一関節までの中心位置、以下、単に「指の位置」と称する）までの位置は、ＸＹ平面内で（Ｘ，Ｙ）＝（０ｍｍ，８ｍｍ）、又は、この座標位置を中心にＸ方向に±６．３ｍｍ、Ｙ方向に±１２．６ｍｍの範囲（σ）にある。
【００４２】
人差指の位置は、（Ｘ，Ｙ）＝（−９ｍｍ，−９ｍｍ）、又は、この座標位置を中心にＸ方向に±１４．５ｍｍ、Ｙ方向に±１９．０ｍｍの範囲（σ）にある。移動機５０の前面５４を上に向けた状態の座標系では、人差指の位置は（Ｘ，Ｙ）＝（９ｍｍ，−９ｍｍ）となる。
【００４３】
中指の位置は、移動機本体５０ｂの側面５５で、移動機本体５０ｂの背面５１をＺ＝０ｍｍとし、決定キー５３のＹ方向位置をＹ＝０ｍｍとしたとき、ＺＹ平面内で（Ｚ，Ｙ）＝（５ｍｍ，２４ｍｍ）、又は、この座標位置を中心にＺ方向に±６．９ｍｍ、Ｙ方向に±１８．８ｍｍの範囲（σ）にある。
【００４４】
薬指の位置は、ＺＹ平面内で（Ｚ，Ｙ）＝（９ｍｍ，４８ｍｍ）、又は、この座標位置を中心にＺ方向に±４．９ｍｍ、Ｙ方向に±１２．０ｍｍの範囲（σ）にある。
【００４５】
小指の位置は、ＺＹ平面内で（Ｚ，Ｙ）＝（８ｍｍ，６６ｍｍ）、又は、この座標位置を中心にＺ方向に±５．６ｍｍ、Ｙ方向に±８．６ｍｍの範囲（σ）にある。
【００４６】
この統計データに基づいて作製されるハンドファントムは、図示はしないが、親指、人差指、中指、薬指、小指が、各座標位置を中心とするσの範囲内に位置するように配置される。あるいは、各指が、各座標位置に配置され、σの範囲内で可動に構成されてもよい。
【００４７】
以上述べたように、本発明の実施形態によれば、携帯電話などの移動機の現実の使用態様により適合して、アンテナ特性や無線性能を評価することができる。
【図面の簡単な説明】
【００４８】
【図１】移動機をデータ通信モードで使用するときの第１の保持パターンを示す概略図である。
【図２】移動機をデータ通信モードで使用するときの第２の保持パターンを示す概略図である。
【図３】第１の保持パターンにおける移動機に対する各指の位置関係を示す図である。
【図４】第１の保持パターンに対応する移動機評価用ハンドファントムの概略図である。
【図５】第２の保持パターンにおける移動機に対する各指の位置関係を示す図である。
【図６】第２の保持パターンに対応する移動機評価用ハンドファントムの概略図である。
【図７】第１および第２の保持パターンを平均化した各指の位置関係を示す図である。
【符号の説明】
【００４９】
１０、２０  移動機評価用ハンドファントム
１１、２１  親指部
１２、２２  人差指部
１３、２３  中指部
１４、２４  薬指部
１５、２５  小指部
５０  移動機
５０ｂ  移動機本体
５１  移動機背面
５２  ポインティングデバイスアレイ
５３  決定キー（マルチファンクションキー又はスクロールキー）
５４  移動機前面
５５  移動機側面
【図１】
2009047474.tif 000003
【図２】
2009047474.tif 000004
【図３】
2009047474.tif 000005
【図４】
2009047474.tif 000006
【図５】
2009047474.tif 000007
【図６】
2009047474.tif 000008
【図７】
2009047474.tif 000009